(57)【要約】      （修正有）【課題】構造が炭火ストーブのようで、素子が少なく、接続が簡単で、使用に便利で、東方人の生活と習慣に合って、下部にはＰＴＣ電熱素子をストーブの発熱体として、エネルギー消費量が少なく、安全使用ができて、上部にはライトが覆い板から赤いぼんやりした火炎の感覚を映して、人々に美しく、気持ちがよく、暖かさがある感覚を与えるようにした擬似炭火ストーブ式電気暖房装置を提供する。【解決手段】擬似炭火ストーブ式電気暖房装置は電気暖房装置に関する。ケース１の上部にある電熱素子３と擬似炭火発光装置の照明灯４は別々に制御開閉装置を通して電源と電気接続され、上記ケースの上部に開口があって、上記擬似炭火発光装置がケース上部の開口に設置する光が透ける覆い板と、当覆い板の下部に設置される照明灯とを具備して構成するようにした擬似炭火ストーブ式電気暖房装置。【選択図】図１
0003141010.tif 000002
【実用新案登録請求の範囲】
【請求項１】
一つのケース及び当ケースに設置する電熱素子と擬似炭火発光装置と制御開閉装置とを具備して、電熱素子と発光装置の照明灯が別々に制御開閉装置を通して電源と電気回路になることにおいて、上記ケースの上部には開口があって、上記擬似炭火発光装置にはケース上部の開口に設置する光が透ける覆い板と、当覆い板の下方に設置する照明灯とで構成するようにしたことを特徴とする擬似炭火ストーブ式電気暖房装置。
【請求項２】
当覆い板が赤くなって、又は、当照明灯が赤く光るようにしたことを特徴とする請求項１記載の擬似炭火ストーブ式電気暖房装置。
【請求項３】
上記電熱素子はＰＴＣ電熱素子からなるようにしたことを特徴とする請求項２記載の擬似炭火ストーブ式電気暖房装置。
【請求項４】
上記ケースは円柱形ケースからなるようにしたことを特徴とする請求項３記載の擬似炭火ストーブ式電気暖房装置。
【請求項５】
上記覆い板は半透明のプラスチック製覆い板又は透明のプラスチック製覆い板からなるようにしたことを特徴とする請求項４記載の擬似炭火ストーブ式電気暖房装置。
【請求項６】
上記覆い板には一つの遠赤外線塗装層を設けるようにしたことを特徴とする請求項４記載の擬似炭火ストーブ式電気暖房装置。
【請求項７】
上記ケースの内部に一つのマイナスイオン発生装置も設置して、当マイナスイオン発生装置は制御開閉装置を通して電源と電気接続されるようにしたことを特徴とする請求項６記載の擬似炭火ストーブ式電気暖房装置。
【請求項８】
上記覆い板の外表面に飾り模様があるようにしたことを特徴とする請求項１或は請求項２或は請求項３或は請求項４或は請求項５或は請求項６或は請求項７記載の擬似炭火ストーブ式電気暖房装置。
【請求項９】
上記ケースの上部の開口に制御開閉装置を設置するための一つのスィッチパネルを設けて、当スィッチパネルが覆い板と結合し、一緒にケースの上部にある開口を封じて、上記スイッチパネルが円形になって、覆い板を開けるように当スイッチパネルの内穴に設置するようにしたことを特徴とする請求項８記載の擬似炭火ストーブ式電気暖房装置。
【請求項１０】
上記照明灯に輝度変調装置を設けるようにしたことを特徴とする請求項９記載の擬似炭火ストーブ式電気暖房装置。
【考案の詳細な説明】
【技術分野】
【０００１】
本考案は電気暖房装置に関する。
【背景技術】
【０００２】
現在の電気暖房装置は石英ランプを通電してから出てくる赤外光を利用して熱源とする。飾り効果を高めるために、中国の実用新案特許説明書CN 2308027Yで特許番号がZL 97226008.0、名前が「擬似炭火ストーブ壁式電気暖房装置」という技術方案を公開して、以前からある石英ランプを基に、一つのマントルピース式飾り構造を加えて、ライト照射で擬似炭形半透明プラスチック製品を映して、両面鏡ガラスによって反射して、火の光を生成するともに、ローラ式ファンで濃い赤の擬似火のリボン布を吹き、半透明プラスチックシートの反射光を通して不規則な火の図案を生成する。しかし、その欠点は以下のようである。第１は、石英ランプが動くときに赤外光以外に無熱量に見える光も発生しているから、エネルギーを多く消耗する。第２は、石英ランプの温度が高すぎ、不安全になる。第３は、火の光を生成するする構造が複雑である。第４は、マントルピース式飾り構造は西方文化に属して、東方文化を愛好する人々の家庭での使用に適合しない。
【考案の開示】
【考案が解決しようとする課題】
【０００３】
本考案の目的は簡単な構造で東方文化の特色を持つ擬似炭火ストーブ式電気暖房装置を提供する。
【課題を解決するための手段】
【０００４】
本考案の技術方案は以下である。一つのケース及び当ケースに設置する電熱素子と擬似炭火発光装置と制御開閉装置とを具備して、電熱素子と発光装置の照明灯が別々に制御開閉装置を通して電源と電気接続されることにおいて、上記ケースの上部に開口があって、上記擬似炭火発光装置にはケース上部の開口に設置する光が透ける覆い板と、当覆い板の下方に設置する照明灯とにより構成するようにしたことを特徴とする擬似炭火ストーブ式電気暖房装置である。ケースの上部に開口があって且つ光が透ける覆い板を設け、覆い板の下方に照明灯を設け、炭火の様相を構成し、東方文化の特色に合わせる。本考案は、素子が少なく、接続関係が簡単であるから、構造が簡単である。
【０００５】
当覆い板が赤くなって、又は、当照明灯が赤く光る。当覆い板と照明灯は組合せて外に向かって赤い光を照らし、東方人の生活習慣に合う。
【０００６】
電熱素子はＰＴＣ電熱素子からなる。ＰＴＣ電熱素子の温度が安全の範囲内に制御できて、基本的に外に見える光を輻射することはないから、電力エネルギーの利用効率が高くなる。
【０００７】
ケースは円柱形ケースからなる。
【０００８】
覆い板は半透明のプラスチック製覆い板又は透明なプラスチック製覆い板からなる。
【０００９】
覆い板には一つの遠赤外線塗装層を設ける。覆い板にある遠赤外線塗装層は光の発熱を吸収して、ストーブの火を擬似する効果を高める。
【００１０】
ケースの内部に一つのマイナスイオン発生装置も設置して、当マイナスイオン装置は制御開閉装置を通して電源と電気接続される。マイナスイオン発生装置はマイナスイオンが生成でき、室内の空気の質を改善する。
【００１１】
上記覆い板の外表面に飾り模様がある。これらの飾り模様は飾り効果が際立つトーテムを外観として、文化彩りを加える。
【００１２】
ケースの上部にある開口に制御開閉装置を設置する一つのスィッチパネルを設けて、当スィッチパネルが覆い板と結合し、一緒にケースの上部にある開口を封じて、上記スイッチパネルが円形になって、覆い板を開けるように当スイッチパネルの内穴に設置して、当覆い板の下方に位置する照明灯を交換するのに役立てる。スイッチパネルをケースの上部の開口に設けることで、使用者の操作と制御が便利になる。ただ覆い板を開けて照明灯の交換或は修理することができ、非常に便利である。
【００１３】
照明灯に輝度変調装置を設け、ストーブ火の光輝度の変化を制御する。
【００１４】
以上のように、本考案の擬似炭火ストーブ式電気暖房装置は、ケースの上部に開口があって光が見える覆い板を設けて、覆い板の下方に照明灯を設置して、炭火の様相を構成する。その素子が少なく、接続関係が簡単で、使い易い。東方人の生活と審美観の習慣に合う。その下部にＰＴＣ電熱素子をストーブの発熱体として、エネルギーの消耗が少なく、安全使用ができる。その上部にライトは覆い板を通して赤いぼんやりした火の感覚が出てきて、人々に美しく、気持ちがよく、暖かさのある感覚を与える。
【考案を実施するための最良の形態】
【００１５】
本考案の擬似炭火ストーブ式電気暖房装置の一つの最適化実施例の断面構造を、図１に示す。当擬似炭火ストーブ式電気暖房装置は一つのケース１と、電気ファン２と、ＰＴＣ電熱素子３と、照明灯４と、制御開閉装置５と、マイナスイオン発生装置６とを具備する。
【００１６】
ケース１は低い円柱形になり、上部に開口があって、ケース１の側面に別々に風吸込み口１１と風吹き出し口１２を対応して設ける。ケース１の風吹き出し口１２に風の方向を調節する鎧戸１２１を設置する。ケース１上部の開口１３に一つの内に向かって窪む円盤形支え１４を設けて、支え１４の上部に一つの環形スイッチパネル１５を設置して、当スイッチパネル１５の内穴を開けるように一つの半透明の円形プラスチック製覆い板１６を被せる。それに、支え１４上部の開口を開けるように一つの半透明円形プラスチック製の小さい覆い板１７を被せる。
【００１７】
ケース１の内部に一つの電気ファン２と一つのＰＴＣ電熱素子３とを設置する。ＰＴＣ電熱素子３をケース１内部の風吹き出し口１２に近い位置に設置して、電気ファン２をＰＴＣ電熱素子３とケース１の風吸込み口１１との間に設置して、当電気ファン２の風吹き出し側がＰＴＣ電熱素子３に向かって且つ風吸込み側がケース１の風吸込み口１１に向く。
【００１８】
照明灯４を支え１４の内凹部に設置する。制御開閉装置５をスイッチパネル１５の上に設置する。マイナスイオン発生装置６をケース１の内部に設置して、風吹き出し口１２の上方に配置する。
【００１９】
図２のように、ケース１上部の開口１３の環形スイッチパネル１５にある一つの段に制御開閉装置５を設置して、その外の大扇形段で放射状に複数の小さい窓１５１を開ける。これらの小さい窓１５１とスイッチパネル１５の内穴を覆う覆い板１６とは一緒に照明灯４の光線を映す面になる。覆い板１６の外表面に噛み花加工で加工したトーテム飾り模様があり、飾り効果を際立たせる。覆い板１６の上に一つの赤外線塗装層を設ける。当赤外線塗装層は光を吸収して発熱し、ストーブ火を擬似する効果を加える。覆い板１６が赤くなって或は照明灯が赤い光を出して、擬似炭火発光装置を構成する。照明灯４から出る光は小さい覆い板１７を通してから弱くなって、覆い板１６に照り込んで、美しいトーテム飾り模様を出現させ、覆い板１６に照り返させてくる一部の光線を支え１４の上端面にも反射させて、各小さい窓から投射して、光芒の効果を出して、暖かい文化彩を加える。ケース１の風吹き出し口１２にある鎧戸１２１の撥ね棒１２２を外部に引き出して、使用者が撥ね棒１２２を撥ねて暖風を吹き出す方向が調整できる。
【００２０】
本考案の電気回路は図３に示す。制御開閉装置５は一つの選択スイッチ５０と、一つの押しボタンスイッチ５１と、一つのタイミングスイッチ５２と、一つの光変調スイッチ５３とを具備する。照明灯４の一端部を電源のアース線に接続して、もう一端部を光変調スイッチ５３によって電源のプラス線に接続して、光変調スイッチ５３の内部にライトの輝度変調装置とスイッチを有して、照明灯４の発光及び光輝度を制御して、光変調スイッチ５３によって照明灯４の発光を制御する電気回路とする。マイナスイオン発生装置６の一端部を電源のアース線に接続して、もう一端部を押しボタンスイッチ５１によって電源のプラス線に接続して、押しボタンスイッチ５１によってマイナスイオン発生装置６からマイナスイオンを発生するのを制御する電気回路になる。タイミングスイッチ５２を直列に電源のプラス線と選択スイッチ５０の両入力端Ａ脚、４脚の間に接続して、タイミングスイッチ５２の制御によって選択スイッチ５０に給電する。電気ファン２のモーターを直列に電源の零線と選択スイッチ５０の電気ファン制御出力端Ｂ脚との間に接続して、ＰＴＣ電熱素子３の二つのプラス線端を別々に選択スイッチ５０の二つの電熱制御出力端１脚と２脚の中の一脚に接続する。ＰＴＣ電熱素子３の零線端を一つの温度保護装置３１と一つのヒューズ３２に直列接続してから電源の零線に接続する。このようにして、タイミングスイッチ５２の制御で選択スイッチ５０にＰＴＣ電熱素子３を確認させる方式と、ＰＴＣ電熱素子３を通電したと同時に電気ファン２を回転する電気回路とを形成する。
【００２１】
使用時、先にタイミングスイッチ５２で加熱暖房時間を選ぶ。再びに選択スイッチ５０によってＰＴＣ電熱素子３が普通加温か高熱量加温かの方式で熱を供給するのを確認する。ＰＴＣ電熱素子３を通電したと同時に電気ファン２を回転して、電気ファン２はＰＴＣ電熱素子３に風を吹き出して、その熱量を速く空気の中まで伝導させていく。使用者は個人の念願によって随意に押しボタンスイッチ５１でマイナスイオン発生装置６を制御してマイナスイオンを発生して、或は、光変調スイッチ５３で照明灯４の発光及び光輝度を制御する。
【００２２】
使用者は覆い板１６と小さい覆い板１７とを開けるだけで、照明灯４の交換と修理ができて、非常に便利する。
【００２３】
以上で述べたのは本考案のよい実施の形態のみである。しかし、本考案の実施の範囲はこれに限定されるものではなく、すなわち、公開技術を利用して本考案の技術方案と説明書内容に基づいて変形させて、例えばケースを矩形体或はその他の形体に変更して、電気回路の中にある制御開閉装置と各電気素子の制御関係などを修理することが可能であり、それらは本考案の範囲から排除するものではない。
【図面の簡単な説明】
【００２４】
【図１】本考案の擬似炭火ストーブ式電気暖房装置の一実施例の断面構造を示す図。
【図２】図１実施例の見下ろす構造を示す図。
【図３】図１実施例の電気回路の構造を示す図。
【図４】図１実施例の立体の構造を示す図。
【符号の説明】
【００２５】
１  ケース
２  電気ファン
３  ＰＴＣ電熱素子
４  照明灯
５  制御開閉装置
６  マイナスイオン発生装置
【図１】
0003141010.tif 000003
【図２】
0003141010.tif 000004
【図３】
0003141010.tif 000005
【図４】
0003141010.tif 000006